(57)【特許請求の範囲】
【請求項１】
躯体に取り付けられる躯体側取付部材と、扉に取り付けられる扉側取付部材と、それぞれの両端部が上記躯体側取付部材と上記扉側取付部材とに回動可能に連結されることにより、上記扉側取付部材を上記躯体側取付部材に対し閉位置と開位置との間において回動可能に連結する内側及び外側リンクと、上記内側及び外側リンクの回動軸線とほぼ平行に配置され、上記内側リンクと外側リンクとのいずれか一方のリンクに両端部が回動可能に支持された当接部材と、一端が上記躯体側取付部材に突き当たり、他端が上記当接部材の外周面に突き当たることにより、上記扉側取付部材を上記当接部材及び上記一方のリンクを介して回動付勢する付勢手段とを備えたキャッチ付きヒンジにおいて、
上記一方のリンクに、上記当接部材の径方向における一端部が開放され、他端部に底部を有する一対の切欠き凹部を上記当接部材の軸線方向に互いに離して設け、この一対の切欠き凹部を、その開放部から底部に上記当接部材の両端部を挿入可能で、かつ回動可能であるように形成し、上記当接部材を上記付勢手段の付勢力により上記切欠き凹部の底部に押し付けたことを特徴とするキャッチ付きヒンジ。
【請求項２】
上記切欠き凹部を、上記躯体側取付部材に対する上記内側及び外側リンクの各回動軸線間に配置したことを特徴とする請求項１に記載のキャッチ付きヒンジ。
【請求項３】
上記一方のリンクの回動軸線方向における両側部に、上記当接部材の軸線方向に対向する一対の突出片部をそれぞれ設け、各突出片部に上記切欠き凹部をそれぞれ設け、上記一対の突出片部間に位置する上記当接部材の外周面に、上記一対の突出片部の対向面にそれぞれ突き当たることにより、上記当接部材の軸線方向への移動を阻止する第１、第２ストッパ部を設けたことを特徴とする請求項１又は２に記載のキャッチ付きヒンジ。
【請求項４】
上記付勢手段が、線材を螺旋状に巻回してなるコイル部と、このコイル部の両端部からその外側に突出する第１、第２当接部とを有し、上記コイル部が上記内側リンクの一端部を上記躯体側取付部材に回動可能に連結する支持軸又は上記外側リンクの一端部を上記躯体側取付部材に回動可能に連結する支持軸に外挿され、上記第１当接部が上記躯体側取付部材に突き当てられ、上記第２当接部が上記当接部材に突き当てられていることを特徴とする請求項１〜３のいずれかに記載のキャッチ付きヒンジ。
【請求項５】
上記コイル部が上記外側リンクの一端部を上記躯体側取付部材に回動可能に連結する支持軸に外挿され、上記切欠き凹部が上記内側リンクに設けられていることを特徴とする請求項４に記載のキャッチ付きヒンジ。
【発明の詳細な説明】
【０００１】
【発明の属する技術分野】
この発明は、家具その他の躯体とこの躯体の開口部を開閉する扉とを回動可能に連結するためのヒンジ、特にキャッチ機能を有するキャッチ付きヒンジに関する。
【０００２】
【従来の技術】
一般に、この種のヒンジは、躯体に固定される躯体側取付部材と、扉に固定される扉側取付部材と、この扉側取付部材を躯体側取付部材に閉位置と開位置との間において回動可能に連結する内側及び外側リンクと、この内側及び外側リンクの一方を介して扉側取付部材を回動付勢するコイルばねとを備えており、コイルばねは、扉が閉位置と開位置との間の所定の中立位置より閉位置側に位置しているときには、扉側取付部材を開位置側から閉位置側へ向かって回動付勢し、扉が中立位置より開位置側に位置しているときには、扉側取付部材を閉位置から開位置側へ向かって回動付勢するようになっている。
【０００３】
ところで、コイルばねの一端部は、一方のリンクを付勢するために当該一方のリンクに突き当たっている。したがって、一方のリンクのコイルばねとの接触箇所は、扉側取付部材の回動に伴って一方のリンクが回動すると、コイルばねの一端部によって擦過される。このため、一方のリンクが早期に摩耗し易い。そこで、実開昭６１−１９７１７８号公報に記載のヒンジにおいては、一方のリンクに当接軸を回動可能に設け、この当接軸にコイルばねの一端部を突き当てるようにしている。このようにすると、当接軸がコイルばねの一端部に転がり接触するので、当接軸の早期摩耗を防止することができるからである。
【０００４】
【発明が解決しようとする課題】
しかしながら、上記公報に記載のものにおいては、当接軸の一方のリンクへの装着に多くの手間を要するという問題があった。すなわち、上記公報に記載のヒンジにおいては、当接軸を一方のリンクに回動可能に装着するために、一方のリンクの両側に支持孔をそれぞれ形成し、各支持孔に当接軸の両端部をそれぞれ挿入していた。この場合、一方の支持孔には当接軸を比較的容易に挿入することができるが、当接軸の長さがその外径に比して大幅に長いため、一方の支持孔に挿入された当接軸を他方の支持孔に挿入することが比較的困難である。この結果、当接軸の一方のリンクへの装着に多くの手間を要していたのである。
【０００５】
【課題を解決するための手段】
この発明は、上記の問題を解決するために、躯体に取り付けられる躯体側取付部材と、扉に取り付けられる扉側取付部材と、それぞれの両端部が上記躯体側取付部材と上記扉側取付部材とに回動可能に連結されることにより、上記扉側取付部材を上記躯体側取付部材に対し閉位置と開位置との間において回動可能に連結する内側及び外側リンクと、上記内側及び外側リンクの回動軸線とほぼ平行に配置され、上記内側リンクと外側リンクとのいずれか一方のリンクに両端部が回動可能に支持された当接部材と、一端が上記躯体側取付部材に突き当たり、他端が上記当接部材の外周面に突き当たることにより、上記扉側取付部材を上記当接部材及び上記一方のリンクを介して回動付勢する付勢手段とを備えたキャッチ付きヒンジにおいて、上記一方のリンクに一対の切欠き凹部を上記当接部材の軸線方向に離して設け、この一対の切欠き凹部を、その開放部から底部に上記当接部材の両端部を挿入可能で、かつ回動可能であるように形成し、上記当接部材を上記付勢手段の付勢力により上記切欠き凹部の底部に押し付けたことを特徴としている。
この場合、上記切欠き凹部を、上記躯体側取付部材に対する上記内側及び外側リンクの各回動軸線間に配置するのが望ましい。
上記一方のリンクの回動軸線方向における両側部に、上記当接部材の軸線方向に対向する一対の突出片部をそれぞれ設け、各突出片部に上記切欠き凹部をそれぞれ設け、上記一対の突出片部間に位置する上記当接部材の外周面に、上記一対の突出片部の対向面にそれぞれ突き当たることにより、上記当接部材の軸線方向への移動を阻止する第１、第２ストッパ部を設けることが望ましい。
上記付勢手段が、線材を螺旋状に巻回してなるコイル部と、このコイル部の両端部からその外側に突出する第１、第２当接部とを有し、上記コイル部が上記内側リンクの一端部を上記躯体側取付部材に回動可能に連結する支持軸又は上記外側リンクの一端部を上記躯体側取付部材に回動可能に連結する支持軸に外挿され、上記第１当接部が上記躯体側取付部材に突き当てられ、上記第２当接部が上記当接部材に突き当てられていることが望ましい。特に、上記コイル部が上記外側リンクの一端部を上記躯体側取付部材に回動可能に連結する支持軸に外挿され、上記切欠き凹部が上記内側リンクに設けられていることが望ましい。
【０００６】
【発明の実施の形態】
以下、この発明の一実施の形態について図１〜図３を参照して説明する。
図１及び図２は、この発明に係るキャッチ付きヒンジ１が用いられた洋服ダンス等の家具の要部を示すものであり、この家具は、前面部が開口した躯体Ｂと、この躯体Ｂの前面開口部を開閉する扉Ｄとを備えている。扉Ｄは、ヒンジ１を介して躯体Ｂの側壁部に矢印Ｘ，Ｙ方向（水平方向）へ開閉回動可能に支持されている。扉Ｄの矢印Ｘ方向（閉方向）への回動範囲は、図１に示すように、扉Ｄの背面が躯体Ｂの前面に突き当たることによって規制されており、そのときの回動位置が閉位置である。扉Ｄの矢印Ｙ方向（開方向）への回動範囲は、図２に示すように、扉Ｄの背面がヒンジ１の後述する内側リンク４に突き当たることによって規制されており、そのときの回動位置が開位置である。
【０００７】
上記ヒンジ１は、躯体側取付部材２及び扉側取付部材３を有している。躯体側取付部材２は、図３に示すように、断面略「コ」字状をなしており、互いに対向する一対の側板部２１，２１と、この一対の側板部２１，２１の一側部間にそれらとほぼ直交するようにして一体に形成された連結板部２２とを有している。そして、躯体側取付部材２は、その長手方向を躯体Ｂの前後方向に向けるとともに、側板部２１を上下方向に向け、さらに開放部を躯体Ｂの側板部の内面と対向させた状態で、躯体Ｂの側板部に取り付けられている。一方、扉側取付部材３は、深さの浅いカップ状をなしており、扉Ｄの背面に取り付けられている。扉側取付部材３は、躯体側取付部材２に内側及び外側リンク４，５を介して矢印Ｘ，Ｙ方向へ回動可能に連結されている。
【０００８】
図３に示すように、内側リンク（一方のリンク）４は、基板部４１を有しており、基板部４１の一端部（躯体側取付部材２側の端部）の両側部には、基板部４１とほぼ直交する一対の突出片部４２，４２が基板部４１と一体に形成されている。突出片部４２，４２は、躯体側取付部材２の側板部２１，２１の前側の各端部と対向するようにしてそれらの間に挿入されている。各突出片部４２には、貫通孔４２ａが形成されている。各貫通孔４２ａと対向する側板部２１の前側の端部には、支持孔２１ａが形成されている。支持孔２１ａ，２１ａ及び貫通孔４２ａ，４２ａには、第１支持軸６Ａが挿通されている。この第１支持軸６Ａを介して突出片部４２，４２が側板部２１，２１に水平方向へ回動可能に連結されている。これにより、内側リンク４が躯体側取付部材２に水平方向へ回動可能に支持されている。内側リンク４の基板部４１の他端部には、当該他端部を円形に巻回することによって軸受部４３が形成されている。この軸受部４３は、図１及び図２に示すように、それに挿通された第２支持軸６Ｂを介して扉側取付部材３の開口部側端部に水平方向へ回動可能に連結されている。
【０００９】
外側リンク５は、図３に示すように、内側リンク４よりも躯体Ｂの前方側に配置されている。外側リンク５は、断面「コ」字状をなしており、互いに対向する一対の側壁部５１，５１と、この側壁部５１，５１の一側部間にそれらとほぼ直交するようにして一体に形成された連結壁部５２とから構成されている。一対の側壁部５１，５１の一端部は、躯体側取付部材２の側板部２１，２１の前側の各端部と対向するようにしてそれらの間に挿入されている。側板部２１，２１間に挿入された各側壁部５１の一端部には、貫通孔５１ａが形成されている。この貫通孔５１ａと対向する各側板部２１の先端部には、支持孔２１ｂが形成されている。この支持孔２１ｂは、第１支持軸６Ａが挿通される支持孔２１ａより先端側に配置されている。支持孔２１ｂ，２１ｂ及び貫通孔５１ａ，５１ａには、第３支持軸（支持軸）６Ｃが挿通されている。これにより、外側リンク５の一端部が、躯体側取付部材２に内側リンク４より先端側において水平方向へ回動可能に連結されている。各側壁部５１の他端部には、貫通孔５１ｂが形成されている。貫通孔５１ｂは、第２支持軸６Ｂより扉側取付部材３の底部側に配置されている。貫通孔５１ｂ，５１ｂには、第４支持軸６Ｄが挿通されている。この第４支持軸６Ｄを介して各側壁部５１の他端部が扉側取付部材３に水平方向へ回動可能に連結されている。
【００１０】
ヒンジ１には、キャッチ機構７が設けられている。キャッチ機構７は、外側リンク５に設けられたコイルばね（付勢手段）７１と、内側リンク４に設けられた当接軸（当接部材）７２とを有している。
【００１１】
コイルばね７１は、断面形状が正方形又は円形等である鋼製の線材からなるものであり、当該線材を巻回してなるコイル部７１ａと、このコイル部７１ａの両端部からその接線方向に沿って外側に突出する第１、第２当接部７１ｂ，７１ｃとを有している。コイル部７１ａは、一対の側壁部５１，５１間に配置され、第３支持軸６Ｃに外挿されている。コイル部７１ａは、第３支持軸６Ｃとは別の軸に外挿してもよいが、第３支持軸６Ｃに外挿することにより、別の軸が不用になるので、その分だけ部品点数を減らすことができるとともに、ヒンジ１の小型化を図ることができる。第１当接部７１ｂは、躯体側取付部材２の連結板部２２に突き当たっている。第２当接部７１ｃは、当接軸７２に突き当たっている。
【００１２】
上記内側リンク４の各突出片部４２には、切欠き凹部４２ｂが形成されている。この切欠き凹部４２ｂは、第１支持軸６Ａと第３支持軸６Ｃとの中間に配置されており、その開放部を第３支持軸６Ｃ側に向け、その底部を第１支持軸６Ａ側に向けて形成されている。切欠き凹部４２ｂの幅は、その開放部から底部まで一定であり、底部は切欠き凹部４２ｂの幅を直径とする半円状に形成されている。
【００１３】
当接軸７２は、図３に示すように、断面円形の軸体として形成されており、その両端部に形成された嵌合軸部７２ａ，７２ａと、中間部に形成された大径部（第１、第２ストッパ部）７２ｂとを有している。嵌合軸部７２ａ，７２ａ及び大径部７２ｂは、同芯に形成されている。嵌合軸部７２ａは、その外径が切欠き凹部４２ｂの幅とほぼ同一になっており、切欠き凹部４２ｂにその開放部から底部に挿入され、切欠き凹部４２ｂの底部に回動可能に嵌合している。これによって、当接軸７２が内側リンク４に回動可能に支持されている。この状態では、当接軸７２が第１〜第４支持軸６Ａ〜６Ｄと平行になっている。大径部７２ｂの外径は嵌合軸部７２ａより大径であり、大径部７２ｂの全長は一対の突出片部４２，４２の間隔とほぼ同一になっている。したがって、当接軸７２がその軸線方向へ移動しようとすると、大径部７２ｂの両端面が突出片部４２，４２の互いに対向する面にそれぞれ突き当たる。これにより、当接軸７２の軸線方向への移動が阻止され、当接軸７２が一対の突出片部４２，４２の間から当接軸７２の軸線方向へ抜け出ることが防止されている。これから明かなように、この実施の形態のヒンジ１では大径部７２ｂが第１、第２ストッパ部として用いられている。大径部７２ｂに代えて、第１、第２ストッパ部としての二つの環状突出部を当接軸７２の軸線方向に離して設け、各環状突出部を突出片部４２，４２の対向面にそれぞれ突き当てるようにしてもよい。
【００１４】
当接軸７２の大径部７２ｂの外周面には、コイルばね７１の第２当接部７１ｃが突き当たっている。したがって、当接軸７２はコイルばね７１によって付勢されている。コイルばね７１の当接軸７２に対する付勢方向は、扉Ｃが閉位置から開位置までのいずれの位置に回動しているかに拘わらず、切欠き凹部４２ｂの開放部側から底部側へ向かう方向になっている。これにより、当接軸７２が切欠き凹部４２ｂからその開放部を通って外部に抜け出ることが阻止されている。
【００１５】
コイルばね７１の付勢力は、当接軸７２を介して内側リンク４に作用しており、その付勢力によって内側リンク４が第１支持軸６Ａを中心として回動付勢され、ひいては扉Ｄが回動付勢されている。コイルばね７１の付勢力は、扉Ｄが閉位置と開位置との間の所定の中立位置より閉位置側に位置しているときには、開位置側から閉位置側へ向かう方向（図１、図２において矢印Ｘ方向）に作用する。したがって、扉Ｄは、コイルばね７１の付勢力により閉位置まで回動させられて躯体Ｂに突き当り、閉位置に維持される。一方、扉Ｄが中立位置より開位置側に位置しているときには、コイルばね７１の付勢力が閉位置側から開位置側へ向かう方向（図１、図２において矢印Ｙ方向）に作用する。したがって、扉Ｄは、コイルばね７１の付勢力により開位置まで回動させられて内側リンク４に突き当たり、開位置に維持される。なお、扉Ｄが中立位置に位置しているときには、コイルばね７１の付勢力の作用線が第１支持軸６Ａの中心線と交差する。したがって、中立位置ではコイルばね７１の付勢力が扉Ｄを回動させる回動付勢力として作用することはない。
【００１６】
上記構成のキャッチ付きヒンジ１において、扉Ｄを開閉回動させると、内側リンク４が回動し、それに伴って当接軸７２がコイルばね７１の第２当接部７１ｃに対し接触しつつ移動する。このとき、当接軸７２は、回動可能であるから、第２当接部７１ｃに対して滑り接触することなく転がり接触する。したがって、当接軸７２の早期摩耗を防止することができる。
【００１７】
また、当接軸７２を内側リンク４に装着するに際しては、当接軸７２の両端部に形成された嵌合軸部７２ａ，７２ａを切欠き凹部４２ｂ，４２ｂにそれぞれの開口部から挿入するだけでよい。したがって、当接軸を二つの支持孔の一方から他方まで挿通する必要がある従来のヒンジに比して、当接軸７２を内側リンク４に容易に装着することができる。しかも、当接軸７２は、コイルばね７１により切欠き凹部４２ｂの開放部側から底部側へ向かって常時付勢されているので、切欠き凹部４２ｂから開放部を通って外部に抜け出ることがない。したがって、切欠き凹部４２ｂの開放部を塞ぐ必要がない。
【００１８】
なお、この発明は、上記の実施の形態に限定されるものでなく、適宜変更可能である。
例えば、上記の実施の形態においては、内側リンク４に当接軸（当接部材）７２を設け、外側リンク５を躯体側取付部材２に回動可能に連結する第３支持軸５Ｃにコイルばね７１を装着しているが、外側リンク５に当接軸７２を回動可能に設け、内側リンク４を躯体側取付部材２に回動可能に連結する第１支持軸５Ａにコイルばね７１を装着してもよい。また、第１支持軸６Ａにコイルばね７１を装着するとともに、内側リンク４に当接軸７２を設けてもよく、第３支持軸６Ｃにコイルばね７１を装着するとともに、外側リンク５に当接軸７２を設けてもよい。ただし、この実施の形態のヒンジ１のように、コイルばね７１を第３支持軸５Ｃに設けるとともに、当接軸７２を内側リンク４に設けた場合には、第３支持軸５Ｃが当接軸７２より前方に配置されているので、コイルばね７１の第１、第２当接部７１ｂ，７１ｃをコイル部７１ａから躯体取付部材２の後方へ向かって同一側に突出させることができる。これにより、ヒンジ１を小型化することができる。
また、上記実施の形態においては、扉Ｄが中立位置より閉位置側に位置しているときには、コイルばね７１が扉Ｄを開位置側から閉位置側へ向かって回動付勢し、扉Ｄが中立位置より開位置側に位置しているときには、コイルばね７１が扉Ｄを閉位置側から開位置側へ向かって回動付勢するようになっているが、コイルばね７１は、扉Ｄをその回動位置に拘わらず常時閉位置側へ付勢するものであってもよい。
また、上記の実施の形態においては、当接軸７２全体を一体に形成しているが、当接軸を、両端部が切欠き凹部４２ｂ，４２ｂにその開放部から底部まで挿入可能である軸部と、この軸部の外周に回動可能に嵌合された筒部とから構成し、筒部の外周面にコイルばね７１の第２当接部７１ｃを突き当てるようにしてもよい。
さらに、上記の実施の形態においては、付勢手段としてコイルばね７１を用いているが、それに代えて板ばねを用いてもよい。
【００１９】
【発明の効果】
以上説明したように、この発明によれば、当接部材が付勢手段との摩擦によって早期に摩耗するのを防止することができるのは勿論のこと、当接部材を内側リンク又は外側リンクに容易に装着することができるという効果が得られる。
【図面の簡単な説明】
【図１】この発明に係るキャッチ付きヒンジが用いられた家具の躯体及び扉の要部を、扉を閉位置に回動させた状態で示す平断面図である。
【図２】同要部を、扉を開位置に回動させた状態で示す平断面図である。
【図３】この発明に係るキャッチ付きヒンジの一部を省略して示す分解斜視図である。
【符号の説明】
Ｂ  躯体
Ｄ  扉
１  キャッチ付きヒンジ
２  躯体側取付部材
３  扉側取付部材
４  内側リンク
５  外側リンク
６Ｃ  第３支持軸（支持軸）
４２  突出片部
４２ｂ  切欠き凹部
７  キャッチ機構
７１  コイルばね（付勢手段）
７１ａ  コイル部
７１ｂ  第１当接部
７１ｃ  第２当接部
７２  当接軸（当接部材）
７２ｂ  大径部（第１、第２ストッパ部）
【図１】
0004021184.tif 000002
【図２】
0004021184.tif 000003
【図３】
0004021184.tif 000004